(57)【要約】【課題】  自己の希望するコンセプトの実現を前提条件としたいユーザが、昇降機に関する専門的知識を持たなくても、昇降機メーカと直接対面することなく、容易に昇降機の新規設置仕様を決定できるようにすること。【解決手段】  仕様記入画面提供手段８は、ユーザ端末２のアクセスに応じてユーザが自己の希望仕様及び希望コンセプトを記入するための仕様記入画面を提供する。昇降機プラン作成手段９は、ユーザ端末２の仕様記入画面上での選択又は記入により決定した昇降機仕様に基づき、昇降機情報管理データベース６に保存された各種データを用いて、昇降機プランを作成する。このとき、手段９は、ユーザの希望コンセプトが有れば、そのコンセプトが実現されるようにプラン作成を行う。【選択図】  図２
2005162393.tif 000002
【特許請求の範囲】
【請求項１】
昇降機を新規に設置しようとするユーザの操作するユーザ端末と、このユーザの希望仕様に基づく昇降機プランを作成するのに必要な各種データが保存された昇降機情報管理データベースを有する昇降機メーカの昇降機仕様決定支援サーバとがインターネットを介して接続されており、
前記昇降機仕様決定支援サーバは、
前記ユーザ端末のアクセスに応じてユーザが自己の希望仕様を記入するための仕様記入画面を提供する仕様記入画面提供手段と、
前記ユーザ端末の前記仕様記入画面上での選択又は記入により決定した昇降機仕様に基づき、前記昇降機情報管理データベースに保存された各種データを用いて、昇降機プランを作成する昇降機プラン作成手段と、
を備えた昇降機仕様決定支援システムにおいて、
前記昇降機情報管理データベースが保存する各種データには、ユーザが建物又は昇降機について自己の希望するコンセプトを実現するためのコンセプト適用プラン作成用データが含まれており、
前記仕様記入画面提供手段が提供する仕様記入画面には、前記コンセプトを選択するためのコンセプトメニューが含まれており、
前記昇降機プラン作成手段は、前記コンセプトメニューの中から前記ユーザ端末が選択したコンセプトが有る場合に、そのユーザの希望コンセプトが実現されるように、前記コンセプト適用プラン作成用データを用いて前記昇降機プランを作成するユーザ希望コンセプト実現手段を有するものである、
ことを特徴とする昇降機仕様決定支援システム。
【請求項２】
前記ユーザ希望コンセプト実現手段は、
前記ユーザの希望コンセプト実現のための希望仕様についての性能評価を行い、この性能評価が所定レベル以下である場合には前記ユーザの希望仕様を変更すると共に、この変更後の変更仕様及びその評価結果をユーザ端末側に提示し、ユーザ端末側の了解を得た場合にのみこの変更仕様に基づくプラン作成を許可する性能評価手段を有するものである、
ことを特徴とする請求項１記載の昇降機仕様決定支援システム。
【請求項３】
前記性能評価手段は、ユーザ端末側に提示する前記変更仕様及びその評価結果が複数ある場合に、変更仕様の内容が前記ユーザの希望仕様に近いものから順に提示を行うものである、
ことを特徴とする請求項２記載の昇降機仕様決定支援システム。
【請求項４】
前記昇降機情報管理データベースが保存する各種データには、前記昇降機プラン作成手段が作成した昇降機プランの内容をイメージ表示するためのイメージファイルデータが含まれており、
前記昇降機仕様決定支援サーバは、このイメージファイルデータに基づくイメージ表示を前記ユーザ端末側画面に行わせるプラン内容イメージ表示手段を、
備えたことを特徴とする請求項１乃至３のいずれかに記載の昇降機仕様決定支援システム。
【請求項５】
前記昇降機仕様決定支援サーバは、
前記昇降機プラン作成手段が作成した昇降機プランに基づき、昇降機の価格及び納期について見積もりを行う見積処理手段と、
前記作成した昇降機プランに係る仕様を最終仕様として、前記見積処理手段による見積結果と共にユーザ端末側に提示し、ユーザ端末側の了解を得た場合に、この最終仕様を登録する最終仕様提示・登録手段と、
を備えたものであることを特徴とする請求項１乃至４のいずれかに記載の昇降機仕様決定支援システム。
【請求項６】
前記昇降機仕様決定支援サーバは、前記昇降機情報管理データベースとイントラネットにより接続されている、
ことを特徴とする請求項１乃至５のいずれかに記載の昇降機仕様決定支援システム。
【発明の詳細な説明】
【技術分野】
【０００１】
本発明は、ユーザがコンピュータ及びインターネットを利用して昇降機の新規設置仕様を決定するのを支援するためのシステムに関するものである。
【背景技術】
【０００２】
近時のコンピュータ技術の発達、及びインターネットの普及はめざましいものがあり、多くの人々がこれらコンピュータ及びインターネットを用いて、種々の情報を取得し、また発信できるようになってきている。そして、エレベータ産業の分野においても、これらコンピュータ及びインターネットを活用してエレベータの新規設置仕様を設定できるシステムが登場してきている（例えば、本出願人の提示した特許文献１参照）。
【０００３】
この特許文献１に係る技術によれば、ユーザの希望する仕様を具備したエレベータが３次元モデルを用いて画面上で表示されるので、ユーザ側とエレベータメーカ側とは必ずしも直接に対面しなくてもエレベータの新規仕様を設定することができるようになり、ユーザ側及びエレベータメーカ側双方の労力を軽減することが可能になる。
【特許文献１】特開２００３−１７１０６９号公報
【発明の開示】
【発明が解決しようとする課題】
【０００４】
ところで、上記の特許文献１をはじめとする従来技術においては、エレベータの新規設置仕様を決定するにあたっては、ユーザがエレベータを設置しようとする建物の種類や広さ、及び予想されるエレベータ利用人数から乗りかごの乗車定員及び速度等の基本的な仕様を最初に決定しておき、その後でこの基本的仕様以外の他の付随的仕様を決定していく手法を採用するのが通常であった。
【０００５】
しかし、上記のようにコンピュータをはじめとする種々の技術の発達、及びインターネットの普及に伴う社会情況の変化に従って、ユーザがエレベータに対して要求する機能は益々多様化してきており、従来のように、最初に乗りかごの定員及び速度等を決定する通常の手法では、必ずしもユーザのニーズに充分応えることができなくなってきている。
【０００６】
例えば、近時は、凶悪犯罪が多発しており、この凶悪犯罪から住民を守るためにセキュリティを充実させたビル管理システムを建物に具備させようとすれば、当然この建物に設置するエレベータに対してもセキュリティの充実が要求される。また、我が国では高齢化社会に移行しつつあり、身体障害者と共に、身体的弱者に対する配慮の必要性も高まってきていることから、これら高齢者及び身体障害者の存在を前提としたエレベータ仕様も要求されるようになってきている。
【０００７】
したがって、エレベータを新規に設置しようとするユーザの中には、「セキュリティの充実」や「高齢者、身体障害者対応の充実」といった基本的考え方（本明細書では、以下このような基本的考え方を「コンセプト」と呼ぶ。）を最も重要且つ必要不可欠な要件として最初に決定しておき、その後にそれ以外の要件を決定したいと考える者も多いはずである。
【０００８】
しかし、ユーザはエレベータについての専門的知識を持ち合わせていないのが通常であるため、上記のようなコンセプトを実現しようとする場合、結局はエレベータメーカ側の営業マンと直接対面してコンセプト実現のための仕様について打ち合わせしなければならなくなり、上記特許文献１の技術の趣旨が損なわれる結果となっている。
【課題を解決するための手段】
【０００９】
上記課題を解決するための手段として、請求項１記載の発明は、昇降機を新規に設置しようとするユーザの操作するユーザ端末と、このユーザの希望仕様に基づく昇降機プランを作成するのに必要な各種データが保存された昇降機情報管理データベースを有する昇降機メーカの昇降機仕様決定支援サーバとがインターネットを介して接続されており、前記昇降機仕様決定支援サーバは、前記ユーザ端末のアクセスに応じてユーザが自己の希望仕様を記入するための仕様記入画面を提供する仕様記入画面提供手段と、前記ユーザ端末の前記仕様記入画面上での選択又は記入により決定した昇降機仕様に基づき、前記昇降機情報管理データベースに保存された各種データを用いて、昇降機プランを作成する昇降機プラン作成手段と、を備えた昇降機仕様決定支援システムにおいて、前記昇降機情報管理データベースが保存する各種データには、ユーザが建物又は昇降機について自己の希望するコンセプトを実現するためのコンセプト適用プラン作成用データが含まれており、前記仕様記入画面提供手段が提供する仕様記入画面には、前記コンセプトを選択するためのコンセプトメニューが含まれており、前記昇降機プラン作成手段は、前記コンセプトメニューの中から前記ユーザ端末が選択したコンセプトが有る場合に、そのユーザの希望コンセプトが実現されるように、前記コンセプト適用プラン作成用データを用いて前記昇降機プランを作成するユーザ希望コンセプト実現手段を有するものである、ことを特徴とする。
【００１０】
請求項２記載の発明は、請求項１記載の発明において、前記ユーザ希望コンセプト実現手段は、前記ユーザの希望コンセプト実現のための希望仕様についての性能評価を行い、この性能評価が所定レベル以下である場合には前記ユーザの希望仕様を変更すると共に、この変更後の変更仕様及びその評価結果をユーザ端末側に提示し、ユーザ端末側の了解を得た場合にのみこの変更仕様に基づくプラン作成を許可する性能評価手段を有するものである、ことを特徴とする。
【００１１】
請求項３記載の発明は、請求項２記載の発明において、前記性能評価手段は、ユーザ端末側に提示する前記変更仕様及びその評価結果が複数ある場合に、変更仕様の内容が前記ユーザの希望仕様に近いものから順に提示を行うものである、ことを特徴とする。
【００１２】
請求項４記載の発明は、請求項１乃至３のいずれかに記載の発明において、前記昇降機情報管理データベースが保存する各種データには、前記昇降機プラン作成手段が作成した昇降機プランの内容をイメージ表示するためのイメージファイルデータが含まれており、前記昇降機仕様決定支援サーバは、このイメージファイルデータに基づくイメージ表示を前記ユーザ端末側画面に行わせるプラン内容イメージ表示手段を、備えたことを特徴とする。
【００１３】
請求項５記載の発明は、請求項１乃至４のいずれかに記載のの発明において、前記昇降機仕様決定支援サーバは、前記昇降機プラン作成手段が作成した昇降機プランに基づき、昇降機の価格及び納期について見積もりを行う見積処理手段と、前記作成した昇降機プランに係る仕様を最終仕様として、前記見積処理手段による見積結果と共にユーザ端末側に提示し、ユーザ端末側の了解を得た場合に、この最終仕様を登録する最終仕様提示・登録手段と、を備えたものであることを特徴とする。
【００１４】
請求項６記載の発明は、請求項１乃至５のいずれかに記載の発明において、前記昇降機仕様決定支援サーバは、前記昇降機情報管理データベースとイントラネットにより接続されている、ことを特徴とする。
【発明の効果】
【００１５】
本発明によれば、昇降機を新規に設置しようとするユーザが、昇降機メーカと直接対面することなく容易に、自己の希望するコンセプトを実現するための昇降機仕様を決定することが可能な昇降機仕様決定支援システムを提供することができる。
【００１６】
なお、本明細書における「昇降機」とは、エレベータに限定されるものではなく、エスカレータ及び動く歩道を含むものである。
【発明を実施するための最良の形態】
【００１７】
図１は、本発明の実施形態に係る昇降機仕様決定支援システムの構成図である。この図において、インターネット１を介して複数のユーザ端末２と昇降機メーカが保有する昇降機仕様決定支援サーバ３とが接続されている。また、この昇降機仕様決定支援サーバ３は、ファイヤウォール４が構築されたイントラネット５を介して昇降機情報管理データベース６に接続されている。なお、この実施形態では、ユーザが新規に設置しようとする昇降機がエレベータである場合につき説明する。
【００１８】
図２は、図１における昇降機仕様決定支援サーバ３及び昇降機情報管理データベース６の構成を示すブロック図である。この図において、昇降機仕様決定支援サーバ３は、まず、ユーザ端末２によりアクセスしてきたユーザが登録された者であることを認証するユーザ認証手段７と、ユーザ認証手段７が登録ユーザであることを認証した場合に、ユーザ端末２のアクセスに応じてユーザが自己の希望仕様を記入するための仕様記入画面を提供する仕様記入画面提供手段８と、ユーザ端末２の仕様記入画面上での選択又は記入により決定した昇降機仕様に基づき、昇降機情報管理データベース６に保存された各種データを用いて昇降機プランを作成する昇降機プラン作成手段９とを有している。そして、この昇降機プラン作成手段９は、ユーザの希望コンセプトが実現されるようにプランを作成するユーザ希望コンセプト実現手段１０を有しており、更に、このユーザ希望コンセプト実現手段１０は、この希望コンセプト実現のためのユーザの希望仕様についての性能評価を行う性能評価手段１１を有している。
【００１９】
昇降機仕様決定支援サーバ３は、また、昇降機プラン作成手段９が作成した昇降機プランの内容をユーザ端末２側の画面にイメージ表示させるプラン内容イメージ表示手段１２と、昇降機プラン作成手段９が作成した昇降機プランに基づき、昇降機の価格及び納期について見積りを行う見積処理手段１３と、ユーザ端末２側に最終仕様及び見積結果を提示し、ユーザ端末２側の了解を得た場合に、この最終仕様を昇降機情報管理データベース６に登録仕様として登録する最終仕様提示・登録手段１４とを有している。
【００２０】
昇降機情報管理データベース６には、ユーザ認証手段７が認証の際に用いる登録ユーザデータ１５と、昇降機プラン作成手段９がプラン作成の際に用いるプラン作成用基本データ１６と、仕様記入画面提供手段８が提供するコンセプトメニューを含むと共にユーザ希望コンセプト実現手段１０がコンセプト適用プラン作成の際に用いるデータを含んでいるコンセプト適用プラン作成用データ１７と、プラン内容イメージ表示手段１２が用いるイメージファイルデータ１８と、見積処理手段１３が見積もりを行う際に用いる価格データ１９及び納期データ２０と、昇降機プラン作成手段９が過去に作成したプラン等の情報を含む過去物件データ２１と、最終仕様提示・登録手段１４から送られてくる登録仕様データ２２とが保存されている。
【００２１】
次に、上述した図１及び図２の動作を、図３及び図４のフローチャート、並びに図５乃至図１１の説明図を参照しつつ説明する。
【００２２】
あるユーザ端末２のユーザが昇降機仕様決定支援サーバ３にアクセスすると、ユーザ認証手段７は、このユーザに対してユーザ認証画面を提供し、この画面上でユーザＩＤ（識別番号）及びパスワードを入力すべきことを要求する。そして、ユーザ認証手段７は、このＩＤ及びパスワードが登録ユーザデータ１５に記載されているものと一致すれば、このアクセスしてきたユーザを登録ユーザと認証する（ステップ１）。
【００２３】
ユーザ認証手段７が認証を終えると、仕様記入画面提供手段８はユーザ端末２に対して仕様記入画面を提供する（ステップ２）。図５及び図６は、この仕様記入画面としての建物仕様記入画面、及びコンセプトメニュー画面を示す説明図である。
【００２４】
図５の建物仕様記入画面におけるユーザの記入例は、５階建ての建物でエントランス階（基準階）が１階で、エレベータの乗りかごは５つの階床全てに対して停止できるようになっており、停止せずに通過する階床は無いことを示している。また、ユーザはフレームF1又はフレームF2のいずれか好きな方を選択して記入できるようになっており、更に、フレームF1の方を選択する場合には、「利用人数」又は「有効床面積」のうちのいずれか好きな方を選択して記入できるようになっている（図示の例では「利用人数」が選択されている。）。
【００２５】
図６のコンセプトメニュー画面では、（１）〜（５）の５つの種類のコンセプトが提示されている。ユーザは各コンセプトの名称の右側に配置されているボタンをクリックすることにより、自己の希望するコンセプトを選択することができる。
【００２６】
ここで、各ボタンにつき説明すると、コンセプト（１）における「なし」ボタンは、このコンセプトを選択しないことを希望する場合にクリックするためのボタン、「高齢者仕様」、「車椅子仕様」、及び「視覚障害者仕様」の各ボタンはこれらの仕様を選択する場合にクリックするためのボタン（これら３つの仕様を全部選択することも可能である）、「ヘルプ」ボタンは、このコンセプトを選択した場合にどのような機能が付加されるのか等についてユーザが知りたい場合にクリックするためのボタンである。
【００２７】
コンセプト（２）〜（４）における「お薦め」ボタンは、これらのコンセプトを選択し且つその仕様を標準的仕様とする場合にクリックするためのボタン、「充実」ボタンは、これらのコンセプトを選択し且つその仕様を標準的仕様よりもグレードアップさせた仕様とする場合にクリックするためのボタンである。
【００２８】
コンセプト（５）の「普通」ボタンはエレベータ意匠を標準的仕様とする場合にクリックするためのボタン、「豪華」ボタンは標準的仕様よりもグレードアップさせた仕様とする場合にクリックするためのボタンである。
【００２９】
ユーザは、これらのボタンを適宜取捨選択してクリックし、最後に画面右下の「選択」ボタンをクリックすることにより所望のコンセプトについての選択動作を完了させることができる。
【００３０】
図７は、上記のコンセプト（１），（２）を例に取り、これらのコンセプトを選択した場合に得られる機能を黒丸印で表した図表である。但し、各コンセプトに適用可能な機能は勿論図示されたものに限定されるわけではなく、適宜組合せを変更すること等が可能である。
【００３１】
上記のように、仕様記入画面提供手段８がユーザ端末２側に仕様記入画面を提供した後、昇降機プラン作成手段９はユーザ端末２側からの記入結果をチェックし、希望コンセプトが有るか否かを判別している（ステップ３）。そして、希望コンセプトが有る場合には、ユーザ希望コンセプト実現手段１０が性能評価手段１１の機能に基づき、このコンセプトを実現するための仕様について評価を行う（ステップ４）。
【００３２】
次に、このステップ４の評価における詳しい処理内容を図４のフローチャートに基づき説明する。ユーザ希望コンセプト実現手段１０は、まず、ユーザの希望コンセプト実現のための仕様データを入力する(ステップ４１）。この仕様データとは、図７の図表においてユーザが選択したコンセプトに対応する各機能を具備させるためのデータであり、昇降機情報管理データベース６にコンセプト適用プラン作成用データ１７として保存されているデータである。
【００３３】
次いで、ユーザ希望コンセプト実現手段１０は、用品仕様選択画面をユーザ端末２側に提供し、乗りかご、乗場、昇降路、及び機械室等の各主要場所で用いる用品の仕様をユーザに選択させるようにする（ステップ４２）。ここで、乗りかごの用品仕様選択についての画面を図８に示しておく。
【００３４】
図８の画面中央部には「天井」、「側板」、「ドア」、「防犯窓」、「幅木」、「床」、「操作盤」、「副操作盤」等の各用品名が記されたボタンが設けられており、これらのボタンをクリックすると、ボタン左側の画面には用品単独の仕様が図示され、また、ボタン右側の画面にはかご内に対象となる用品が組み込まれた状態のイメージが表示されるようになっている。
【００３５】
図８の図示の状態は「天井」ボタンがクリックされた場合の画面であり、ユーザは左側の画面中の色を選択した後、「決定」ボタンをクリックすることで天井についての仕様を決定することができる。また、天井以外の用品についての仕様の決定も同様にして行うことができる。なお、画面中の〔１／７〕は、現在画面表示されているのは選択可能な７種類の天井のうち１番目のものであることを示すものである。そして、ユーザは２番目のものを画面表示させたい場合には「次へ」と記されたボタンをクリックすればよい。
【００３６】
ユーザ希望コンセプト実現手段１０は、上記のようにしてユーザに用品仕様を選択させた後、次にオプション機能選択画面をユーザ端末２側に提供し、各オプション機能をユーザに選択させるようにする（ステップ４３）。このとき提供する画面、及びユーザの選択は、ステップ４２の場合と略同様であるため説明を省略する。
【００３７】
さて、ステップ４１〜４３の実行により、ユーザが入力すべきエレベータの希望仕様が全て揃ったので、次に、性能評価手段１１がこの希望仕様についての性能評価を行う（ステップ４４）。この性能評価とは、例えば、建物の階床数や利用人数に対して乗りかごの定員や速度が適切であるかどうか、すなわちエレベータの円滑な運行や充分な安全性を確保できているかどうか等についての評価である。
【００３８】
そして、ユーザ希望コンセプト実現手段１０は、ユーザの希望仕様についての性能評価が所定レベルを超えた問題のないものであるかどうかにつき判別し（ステップ４５）、特に問題のないものであれば、そのままその評価結果をユーザに提示する（ステップ４７）。
【００３９】
一方、評価結果が所定レベル以下であり充分な性能が得られない旨のものであった場合、ユーザ希望コンセプト実現手段１０は、充分な性能が得られるようにユーザの希望仕様を適宜変更する（ステップ４６）。この変更された変更仕様は再び性能評価された後（ステップ４４）、問題がない旨を判別されることになる（ステップ４５）。そして、ユーザ希望コンセプト実現手段１０は、その評価結果及び変更仕様の内容をユーザに提示する（ステップ４７）。
【００４０】
図９は、このときの性能評価手段１１による性能評価結果の一例を示す説明図である。この図において、左側に図示された「入力仕様」は当初ユーザが入力した希望仕様であり、右側に図示された「推奨仕様」は、「入力仕様」について性能評価を行った結果、問題があったためにステップ４６の仕様変更により得られた変更仕様である。これらを対比してみれば明らかなように、「定員」、「速度」、「エレベータ用途」について、当初の「６名」、「４５m/min」、「住宅用」がそれぞれ「９名」、「６０m/min」、「乗用」に変更されている。
【００４１】
なお、図９に示した例は、変更仕様（推奨仕様）が１つの場合を想定しているが、場合によっては変更仕様が複数の場合もあり得る。この場合、ユーザ希望コンセプト実現手段１０は全ての変更仕様について順次ユーザ端末２側に提示していくが、そのときの提示の順番は、当初の希望仕様に近いものから行うようになっている。これにより、ユーザは採用の可能性が高い順番に従って検討を行うことができる。
【００４２】
ユーザ希望コンセプト実現手段１０は、ステップ４７で図９に示したような評価結果をユーザ端末２側に提示した後、ユーザ端末２側からこの評価結果を受け入れる旨の回答が有ったか否かについてチェックし（ステップ４８）、受け入れる旨の回答が有った場合にはプラン作成を許可する旨のフラグを立てる（ステップ４９）。これにより、昇降機プラン作成手段９は昇降機プランの作成を実行する（ステップ５）。一方、ユーザ端末２側から、この評価結果及び変更仕様の内容を受け入れることができない旨の回答が有った場合には、再度ステップ２に戻って処理をやり直すことになる。
【００４３】
昇降機プラン作成手段９は、ステップ４の実行の後に、昇降機情報管理データベース６のプラン作成用基本データ１６及びコンセプト適用プラン作成用データ１７を用いて昇降機プランの作成を行う（ステップ５）。但し、ユーザ端末２側からの希望コンセプトがない場合、すなわちステップ３での判別結果が「ＮＯ」の場合（この場合は従来と同様の仕様決定の仕方となる）、昇降機プラン作成手段９はステップ４の性能評価を省略して直ちに昇降機プランを作成することになる。
【００４４】
昇降機プラン作成手段９が昇降機プランの作成を終了すると、次に、見積処理手段１３が価格データ１９及び納期データ２０を用いて見積処理を行う（ステップ６）。図１０は、この見積処理についての説明図であり、（ａ）は見積結果についての画面表示例、（ｂ）は（ａ）における「オプション価格」の内訳の一例を示す図表である。
【００４５】
次いで、最終仕様提示・登録手段１４は、昇降機プラン作成手段９が作成した昇降機プランに係る仕様を最終仕様とし、これを見積処理手段１３が作成した見積結果と共にユーザ端末２側に提示する（ステップ７）。図１１は、このとき提示される最終仕様についての画面の一例を示す説明図である。この図に示すように、この最終仕様画面には、機種、定員、速度等の主要な仕様データの他に、見積価格及び納期が表示されている。
【００４６】
そして、ユーザは、図１１の画面上でボタンＢ1，Ｂ2，Ｂ3をクリックすることにより、乗場仕様、標準仕様、及びかご意匠の詳しい内容を確認することができる。すなわち、これらのボタンがクリックされると、プラン内容イメージ表示手段１２はイメージファイルデータ１８を用いて、これらの内容を文字情報と共にイメージ表示する。したがって、ユーザは最終的な決定を行う前に充分に内容を検討することができる。
【００４７】
このような検討の後、ユーザは特に変更したい点がなければ図１１の画面右下の「決定」ボタンをクリックすることによりこの最終仕様を採用する旨の意思を表明することができる。これにより最終仕様提示・登録手段１４はこの最終仕様に係るデータを登録仕様データ２２として昇降機情報管理データベース６に保存する（ステップ８，９）。
【００４８】
一方、ユーザがこの最終仕様について変更したい点が有る場合、あるいは採用を見合わせたい場合には「中止」ボタンをクリックすればよい。これにより、ユーザ端末２には別画面が表示され、ステップ２に戻って再度仕様記入画面の提示を求めるか、あるいは採用を最終的に断念するかのいずれかを選択することができる。
【００４９】
以上のように、本実施形態によれば、自己の希望するコンセプトの実現を前提条件としたいユーザは、昇降機に関する専門的知識を持たなくても、昇降機メーカと直接対面することなく、容易に昇降機の新規設置仕様を決定することができるようになる。
【００５０】
なお、上記実施形態では、エレベータの新規設置仕様を決定する場合を例に取り説明したが、本発明の技術は、エスカレータや動く歩道などの所謂マンコンベアの新規仕様を決定する場合についても適用可能なものである。
【００５１】
また、図１の構成では、ファイヤウォール４が構築されたイントラネット５を介して昇降機情報管理データベース６を昇降機仕様決定支援サーバ３に接続することにより、昇降機情報管理データベース６のセキュリティを確保する構成としているが、充分なセキュリティが確保できるのであれば、昇降機情報管理データベース６を直接的に昇降機仕様決定支援サーバ３に接続するなどの他の構成を採用することとしてもよい。
【図面の簡単な説明】
【００５２】
【図１】本発明の実施形態に係る昇降機仕様決定支援システムの構成図。
【図２】図１における昇降機仕様決定支援サーバ３及び昇降機情報管理データベース６の構成を示すブロック図。
【図３】図１及び図２の動作を説明するためのフローチャート。
【図４】図３におけるステップ４の詳細を示すフローチャート。
【図５】図２における仕様記入画面提供手段８がユーザ端末２側に提供する建物仕様記入画面の説明図。
【図６】図２における仕様記入画面提供手段８がユーザ端末２側に提供するコンセプトメニュー画面の説明図。
【図７】図６に示したコンセプト（１），（２）に適用可能な各機能を示した図表。
【図８】図２におけるユーザ希望コンセプト実現手段１０がユーザ端末２側に提供する用品仕様選択画面の説明図。
【図９】図２における性能評価手段１１が行った性能評価結果の一例を示す説明図。
【図１０】図２における見積処理手段１３が行った見積処理についての説明図であり、（ａ）は見積結果についての画面表示例、（ｂ）は（ａ）における「オプション価格」の内訳の一例を示す図表である。
【図１１】図２における最終仕様提示・登録手段１４がユーザ端末２側に提示する最終仕様画面の説明図。
【符号の説明】
【００５３】
１  インターネット
２  ユーザ端末
３  昇降機仕様決定支援サーバ
４  ファイヤウォール
５  イントラネット
６  昇降機情報管理データベース
７  ユーザ認証手段
８  仕様記入画面提供手段
９  昇降機プラン作成手段
１０  ユーザ希望コンセプト実現手段
１１  性能評価手段
１２  プラン内容イメージ表示手段
１３  見積処理手段
１４  最終仕様提示・登録手段
１５  登録ユーザデータ
１６  プラン作成用基本データ
１７  コンセプト適用プラン作成用データ
１８  イメージファイルデータ
１９  価格データ
２０  納期データ
２１  過去物件データ
２２  登録仕様データ
【図１】
2005162393.tif 000003
【図２】
2005162393.tif 000004
【図３】
2005162393.tif 000005
【図４】
2005162393.tif 000006
【図５】
2005162393.tif 000007
【図６】
2005162393.tif 000008
【図７】
2005162393.tif 000009
【図８】
2005162393.tif 000010
【図９】
2005162393.tif 000011
【図１０】
2005162393.tif 000012
【図１１】
2005162393.tif 000013